(57)【要約】【課題】複数の印刷部を有する複合処理装置において、印刷部に関する情報を適切に表示できるようにする。【解決手段】小切手印刷部とロール紙印刷部とを有し、選択されたいずれか一方により印刷を実行する複合処理装置であって、小切手印刷部、及びロール紙印刷部の状態が印刷可能状態であるか印刷不可能状態であるかを検出する状態検出部と、ディスプレーと、状態検出部の検出結果に基づいて、小切手印刷部状態情報、及びロール紙印刷部状態情報をディスプレーに表示させる表示制御部と、を備え、表示制御部は、小切手印刷部が選択されており、小切手印刷部が印刷可能状態である場合、小切手印刷部状態情報、及びロール紙印刷部状態情報をディスプレーに表示させ、小切手印刷部が選択されており、小切手印刷部が印刷不可能状態である場合、小切手印刷部の前記印刷不可能状態に関する情報をディスプレーに表示させる。【選択図】図３
2019127000.tif 000002
【特許請求の範囲】
【請求項１】
第１印刷部と第２印刷部とを有し、選択されたいずれか一方により印刷を実行するプリンターであって、
前記第１印刷部、及び前記第２印刷部の状態が印刷可能状態であるか印刷不可能状態であるかを検出する検出部と、
情報を表示するディスプレーと、
前記検出部の検出結果に基づいて、前記第１印刷部の状態を示す第１印刷部状態情報、及び前記第２印刷部の状態を示す第２印刷部状態情報を前記ディスプレーに表示させる制御部と、を備え、
前記制御部は、
前記第１印刷部が選択されており、前記第１印刷部の状態が前記印刷可能状態である場合、前記第１印刷部状態情報、及び前記第２印刷部状態情報を前記ディスプレーに表示させ、
前記第１印刷部が選択されており、前記第１印刷部の状態が前記印刷不可能状態である場合、前記第１印刷部の前記印刷不可能状態に関する情報を前記ディスプレーに表示させる、
プリンター。
【請求項２】
前記印刷不可能状態は、復帰可能状態と復帰不可能状態とを含み、
前記制御部は、前記第１印刷部または前記第２印刷部の状態が前記復帰不可能状態である場合、前記第１印刷部、及び前記第２印刷部のいずれが選択されているかに関わらず、前記第１印刷部または前記第２印刷部の前記復帰不可能状態に関する情報を前記ディスプレーに表示させる、
請求項１に記載のプリンター。
【請求項３】
前記印刷不可能状態に関する情報は、前記印刷不可能状態の解消に関する情報である、
請求項１又は２に記載のプリンター。
【請求項４】
前記第１印刷部状態情報は、前記第１印刷部による印刷において消耗する第１消耗品の状態を示す第１消耗品状態情報であり、
前記第２印刷部状態情報は、前記第２印刷部による印刷において消耗する第２消耗品の状態を示す第２消耗品状態情報である、
請求項１から３のいずれか一項に記載のプリンター。
【請求項５】
第１印刷部と第２印刷部とを有するプリンターの制御方法であって、
前記第１印刷部または前記第２印刷部のいずれで印刷するかを選択し、
前記第１印刷部、及び前記第２印刷部の状態が印刷可能状態であるか印刷不可能状態であるかを検出し、
前記第１印刷部が選択されており、前記第１印刷部の状態が前記印刷可能状態である場合、前記第１印刷部の状態を示す第１印刷部状態情報、及び前記第２印刷部の状態を示す第２印刷部状態情報をディスプレーに表示させ、
前記第１印刷部が選択されており、前記第１印刷部の状態が前記印刷不可能状態である場合、前記第１印刷部の前記印刷不可能状態に関する情報を前記ディスプレーに表示させる、
プリンターの制御方法。
【発明の詳細な説明】
【技術分野】
【０００１】
本発明は、プリンター、及びプリンターの制御方法に関する。
【背景技術】
【０００２】
従来、複数の印刷部を有するプリンターにおいて、印刷部の状態を出力する技術が知られている（例えば、特許文献１参照）。特許文献１には、エラーを検出した印字部以外の印字部で、エラーを検出した印字部のエラー情報を印字し、また、エラー情報を液晶表示器に表示する技術を開示する。
【先行技術文献】
【特許文献】
【０００３】
【特許文献１】特開２０１３−５２５７１号公報
【発明の概要】
【発明が解決しようとする課題】
【０００４】
しかしながら、特許文献１の構成では、ある印刷部がエラー状態にあり、液晶表示器にそのエラー情報が表示されている場合、印刷を実行する印刷部として他の印刷部が選択されていたとしても、当該他の印刷部に関する情報が液晶表示器に表示されないという不都合がある。
そこで、本発明は、上述した事情に鑑みてなされたものであり、複数の印刷部を有するプリンターにおいて、印刷部に関する情報を適切に表示できるようにする。
【課題を解決するための手段】
【０００５】
上記課題を解決するために、本発明は、第１印刷部と第２印刷部とを有し、選択されたいずれか一方により印刷を実行するプリンターであって、前記第１印刷部、及び前記第２印刷部の状態が印刷可能状態であるか印刷不可能状態であるかを検出する検出部と、情報を表示するディスプレーと、前記検出部の検出結果に基づいて、前記第１印刷部の状態を示す第１印刷部状態情報、及び前記第２印刷部の状態を示す第２印刷部状態情報を前記ディスプレーに表示させる制御部と、を備え、前記制御部は、前記第１印刷部が選択されており、前記第１印刷部の状態が前記印刷可能状態である場合、前記第１印刷部状態情報、及び前記第２印刷部状態情報を前記ディスプレーに表示させ、前記第１印刷部が選択されており、前記第１印刷部の状態が前記印刷不可能状態である場合、前記第１印刷部の前記印刷不可能状態に関する情報を前記ディスプレーに表示させる。
本発明によれば、選択されている印刷部の状態に応じて、ディスプレーが表示する印刷部に関する情報を異ならせることができ、複数の印刷部を有するプリンターにおいて、印刷部に関する情報を適切に表示できる。
【０００６】
また、本発明は、前記印刷不可能状態は、復帰可能状態と復帰不可能状態とを含み、前記制御部は、前記第１印刷部または前記第２印刷部の状態が前記復帰不可能状態である場合、前記第１印刷部、及び前記第２印刷部のいずれが選択されているかに関わらず、前記第１印刷部または前記第２印刷部の前記復帰不可能状態に関する情報を前記ディスプレーに表示させる。
本発明によれば、第１印刷部、及び第２印刷部のいずれが選択されているかに関わらず、復帰不可能状態に関する情報をディスプレーに表示するため、ユーザーに復帰不可能状態に関する情報を確実に認識させることができる。
【０００７】
また、本発明は、前記印刷不可能状態に関する情報は、前記印刷不可能状態の解消に関する情報である。
本発明によれば、第１印刷部の状態が印刷不可能状態である場合、印刷不可能状態の解消に関する情報を表示するため、速やかに印刷不可能状態を解消できるようにユーザーを支援できる。
【０００８】
また、本発明は、前記第１印刷部状態情報は、前記第１印刷部による印刷において消耗する第１消耗品の状態を示す第１消耗品状態情報であり、前記第２印刷部状態情報は、前記第２印刷部による印刷において消耗する第２消耗品の状態を示す第２消耗品状態情報である。
本発明によれば、第１印刷部状態情報が第１消耗品状態情報であり、第２印刷部状態情報が第２消耗品状態情報であるため、消耗品の状態（例えば、消耗品の有無）をユーザーは認識できる。
【０００９】
また、上記課題を解決するために、本発明は、第１印刷部と第２印刷部とを有するプリンターの制御方法であって、前記第１印刷部または前記第２印刷部のいずれで印刷するかを選択し、前記第１印刷部、及び前記第２印刷部の状態が印刷可能状態であるか印刷不可能状態であるかを検出し、前記第１印刷部が選択されており、前記第１印刷部の状態が前記印刷可能状態である場合、前記第１印刷部の状態を示す第１印刷部状態情報、及び前記第２印刷部の状態を示す第２印刷部状態情報をディスプレーに表示させ、前記第１印刷部が選択されており、前記第１印刷部の状態が前記印刷不可能状態である場合、前記第１印刷部の前記印刷不可能状態に関する情報を前記ディスプレーに表示させる。
本発明によれば、選択されている印刷部の状態に応じて、ディスプレーが表示する印刷部に関する情報を異ならせることができ、複数の印刷部を有するプリンターにおいて、印刷部に関する情報を適切に表示できる。
【図面の簡単な説明】
【００１０】
【図１】複合処理装置の外観斜視図。
【図２】複合処理装置の本体の構成を示す平面図。
【図３】複合処理装置の機能的構成を示す図。
【図４】複合処理装置の動作を示すフローチャート。
【図５】小切手印刷部状態情報、及びロール紙印刷部状態情報の一例を示す図。
【図６】小切手印刷部状態情報、及びロール紙印刷部状態情報の一例を示す図。
【図７Ａ】解消情報の一例を示す図。
【図７Ｂ】解消情報の一例を示す図。
【図７Ｃ】解消情報の一例を示す図。
【図７Ｄ】解消情報の一例を示す図。
【図８】解消情報の一例を示す図。
【図９】復帰不可能情報に関する情報の一例を示す図。
【発明を実施するための形態】
【００１１】
図１は、複合処理装置１の外観斜視図である。
以下、複数の印刷部を有するプリンターとして複合処理装置１を例に、本発明の実施形態を説明する。複合処理装置１は、シート状の小切手４や帳票類等の読取対象物（読取対象媒体）に対し、この読取対象物に記録された磁気インク文字の読み取り、この読取対象物の両面の光学的読み取り、及び、この読取対象物への印刷を行う装置である。また、複合処理装置１は、クレジットカード等のカード型の媒体に記録された磁気情報を読み取るリーダーとしての機能を有する装置である。また、複合処理装置１は、ロール紙Ｒに文字や画像等を印刷しロール紙Ｒを切断することにより、文字や画像等が印刷された紙片を発行する装置である。
【００１２】
本実施形態では、読取対象物として小切手４を例示する。小切手４は、所定の模様や装飾が施されたシートに金額、振出人、通し番号、サインなどが記録された帳票である。これら金額、振出人、通し番号、サインなどは表面４ａにあり、裏面４ｂには裏書き欄が設けられている。この裏書き欄には、後述するインクジェットヘッド１０（図２参照）によって、裏書きに係る所定の文字または画像が印刷される。また、小切手４の表面４ａには小切手４の長辺方向に延びる磁気インク文字列４ｃが形成されている。磁気インク文字列４ｃは、磁気インクで印刷された複数の磁気インク文字が並んだものであり、磁気的または光学的に読み取ることができる。
また、ロール紙Ｒは、加熱により発色する感熱紙であり、複合処理装置１は、後述するサーマルヘッド６５（図３参照）によりロール紙Ｒの印刷面を加熱することで文字や画像を印刷する。
【００１３】
複合処理装置１は、本体下部を覆う下部ケース１１、及び下部ケース１１に被せられるカバー１２からなる外装を有し、外装の内部に複合処理装置１の本体１３（図２参照）が収容されている。複合処理装置１の前面には、小切手４を挿入する挿入口１４が開口しており、挿入口１４の奥には複数の小切手４を積層して収納できるストッカー１５が設けられている。このストッカー１５は、前面側へ向かって引き出し自在に構成される。また、複合処理装置１は、下部ケース１１の前面に電源スイッチ７０を有する。電源スイッチ７０は、例えば電力の導通状態と遮断状態とを切り替える機械的機構を有するメカニカルスイッチである。
【００１４】
カバー１２には、上面視で略Ｕ字形状に、小切手４の搬送路Ｗ（図２参照）となるスリット１８が形成されている。スリット１８は、上述したストッカー１５に連通すると共に、複合処理装置１の前面側に設けられたポケット１９に連通している。ストッカー１５に収納された小切手４は、１枚ずつ複合処理装置１の内部に取り込まれ、スリット１８を通る間に処理されて、処理後の小切手４はポケット１９に排出される。ポケット１９は複数の小切手４を溜めることができる。
【００１５】
また、カバー１２には、ポケット１９の後方、且つ、搬送路Ｗの内側（排紙口６３側）に、カバー１２から上方に突出してディスプレー８０を支持する支持部９０が設けられる。ディスプレー８０は、支持部９０においてユーザーが視認可能な位置で支持される。支持部９０には、ディスプレー８０の下方に、操作スイッチ１３１が２つ設けられる。
【００１６】
図１に示すように、ストッカー１５の側方には、磁気カードリーダーユニット２０が設けられている。磁気カードリーダーユニット２０は、カバー１２に形成されたカードスリット２１と、このカードスリット２１に対応して設けられたＭＣＲ（Magnetic Card Reader/Magnetic Stripe Reader）ヘッド２２（図３参照）とを備え、カードスリット２１を通るカード類に磁気的に記録された情報をＭＣＲヘッド２２によって読み取る。
【００１７】
図２は、複合処理装置１の外装内部に収容されている本体１３の構成を示す平面図である。
【００１８】
ストッカー１５の一側面には、ホッパー２５が設けられている。このホッパー２５は、ホッパー駆動モーター２６（図３参照）により、図中矢印方向に回動可能に構成されており、ストッカー１５に貯留された小切手４をストッカー１５の他方の側面側に付勢する。
ストッカー１５の他方の側面には、後述するＡＳＦ（Automatically Sheet Feeder）モーター２７（図３参照）により駆動されるピックアップローラー２８が配置されている。ホッパー２５がピックアップローラー２８側に回動すると、ストッカー１５に収容された小切手４のうち１枚は、この回動に応じてピックアップローラー２８に付勢され、ピックアップローラー２８に接触して、ピックアップローラー２８の回転に応じて搬送路Ｗに引き込まれる。
ストッカー１５の奥には、一対のローラーで構成されるＡＳＦローラー２９が配置されている。ＡＳＦローラー２９の２つのローラーは、搬送路Ｗの両側に配置され、一方は後述するＡＳＦモーター２７の動力により回転し、他方のローラーは従動ローラーである。ピックアップローラー２８に接した小切手４は、ＡＳＦローラー２９に挟まれて、スリット１８内を下流側へ搬送される。
【００１９】
ストッカー１５の所定の位置には、ＡＳＦ用紙検出器３１（図３参照）が設けられている。ＡＳＦ用紙検出器３１は、例えば透過型光センサーで構成され、ストッカー１５における小切手４の有無を検出する。
また、ストッカー１５において、ホッパー２５の待機位置には、ホッパー位置検出器３２（図３参照）が設けられている。ホッパー位置検出器３２は、例えば透過型光センサーで構成され、ホッパー２５が待機位置に位置しているか否かを検出する。
【００２０】
ＡＳＦローラー２９の下流側には、小切手４の表面４ａに接して磁気インク文字列４ｃを磁気的に読み取るＭＩＣＲ（Magnetic Ink Character Recognition）ヘッド３５が配置されている。ＭＩＣＲヘッド３５には、ＭＩＣＲローラー３６が対向配置される。ＭＩＣＲローラー３６はＭＩＣＲヘッド３５側に付勢されており、小切手４をＭＩＣＲヘッド３５に押しつけながら回転して、小切手４を、磁気インク文字列４ｃの読み取りに適した速度で搬送する。ＭＩＣＲヘッド３５の上流側には、ＡＳＦローラー２９により繰り出された小切手４をＭＩＣＲヘッド３５に案内する、一対のローラーからなるアシストローラー３７が配置されている。
【００２１】
また、アシストローラー３７とＭＩＣＲヘッド３５との間には、用紙長検出器３８が配置されている。用紙長検出器３８は、例えば反射型光センサーで構成され、その検出位置において搬送路Ｗを通る小切手４の有無を検出することにより、小切手４の先端及び後端を検出する。用紙長検出器３８の検出値は、後述する制御部１００（図３参照）により取得され、この検出値の変化に基づいて小切手４の長さが求められる。
【００２２】
ＭＩＣＲヘッド３５の下流側には、搬送路Ｗを挟んで対向する一対のローラーを有する第１搬送ローラー４０が設けられ、さらに、この第１搬送ローラー４０の下流側には第２搬送ローラー４１が設けられている。これら第１搬送ローラー４０、及び、第２搬送ローラー４１は、搬送モーター４２（図３参照）によって回転駆動されるローラーである。小切手４は、これらローラーによってインクジェットプリンターユニット４４へ搬送される。
【００２３】
インクジェットプリンターユニット４４は、インクジェットヘッド１０を備えている。インクジェットヘッド１０は、本体１３の前部に収容されているインクカートリッジ４５からインクの供給を受けて、小切手４にインクを吐出する。インクジェットヘッド１０は、いわゆるラインインクジェットヘッドであり、小切手４に対する印刷の際、一定の速度で搬送される小切手４の裏面４ｂに対してインクを吐出し、画像を印刷する。この小切手４の裏面４ｂに印刷される画像は、いわゆる裏書きと呼ばれる文字や記号等である。
【００２４】
インクジェットヘッド１０の上流側であって、インクジェットヘッド１０と、第２搬送ローラー４１との間には、中間検出器４６が設けられている。中間検出器４６は、例えば反射型光センサーで構成され、検出位置における小切手４の有無を検出する。
【００２５】
インクジェットヘッド１０の下流には、小切手４を光学的に読み取るＣＩＳ（Contact Image Sensor）ユニットが配置されている。このＣＩＳユニットは、小切手４の表面４ａを読み取る表面ＣＩＳユニット４７と、裏面４ｂを読み取る裏面ＣＩＳユニット４８とを有し、小切手４の両面を光学的に読み取り可能である。表面ＣＩＳユニット４７と裏面ＣＩＳユニット４８とは、搬送路Ｗを挟んで対向配置されている。また、ＣＩＳユニットの上流側には第１ＣＩＳローラー５０が配置され、下流側には第２ＣＩＳローラー５１が配置されている。これら第１ＣＩＳローラー５０、及び、第２ＣＩＳローラー５１は、搬送モーター４２によって回転駆動されるローラーであり、ＣＩＳユニットによって読み取り中の小切手４が、これらローラーにより安定して搬送される。
【００２６】
第２ＣＩＳローラー５１の下流には、排出検出器５２が設けられている。排出検出器５２は、例えば反射型光センサーで構成され、検出位置における小切手４の有無を検出する。
【００２７】
表面ＣＩＳユニット４７、及び裏面ＣＩＳユニット４８の下流側には、上述したポケット１９が設けられている。ポケット１９は、メインポケット１９ａとサブポケット１９ｂとに区画されており、搬送路Ｗを形成するスリット１８が分岐してそれぞれのポケット１９に連通している。メインポケット１９ａ、及びサブポケット１９ｂは、それぞれ複数の小切手４を収納できる。
スリット１８が分岐した位置には、小切手４が排出されるポケット１９を、メインポケット１９ａとサブポケット１９ｂのいずれかに切り替える切替板５４が配置されている。切替板５４は、メインポケット１９ａに連通する経路とサブポケット１９ｂに連通する経路のいずれか一方を塞ぐことで小切手４を他方に案内するガイドであり、切替板駆動モーター５５によって駆動される。切替板５４からメインポケット１９ａに繋がる経路には排出ローラー５６が設けられ、また、切替板５４からサブポケット１９ｂに繋がる経路には排出ローラー５７が設けられている。小切手４は、切替板５４に案内されて、排出ローラー５６または５７により、いずれかのポケット１９ａまたは１９ｂに排出される。
複合処理装置１は、ＭＩＣＲヘッド３５による磁気インク文字列４ｃの読み取り結果に基づいて、小切手４が正しくセットされていると判別した場合、小切手４をメインポケット１９ａに排出し、小切手４が正しくセットされていないと判別した場合、サブポケット１９ｂに排出する。
【００２８】
また、図１、及び図２に示すように、複合処理装置１の中央部には、文字や画像等が印刷された紙片を発行するサーマルプリンターユニット６０が設けられている。
図１に示すように、サーマルプリンターユニット６０は、ユニット本体の上部を覆うプリンターカバー６１を備えている。このプリンターカバー６１は、カバー１２に対して開閉自在に取り付けられている。プリンターカバー６１が開くと、ロール紙Ｒを収容可能な空間であるロール紙収容部６２が露出し、ロール紙Ｒの装填や交換等が可能となる。プリンターカバー６１を閉じた状態において、プリンターカバー６１の前端には排紙口６３が形成され、ロール紙収容部６２に収容されたロール紙Ｒは、排紙口６３を介して外部に排出される。
サーマルプリンターユニット６０は、ロール紙収容部６２に収容されたロール紙Ｒを、搬送路において搬送するプラテン（不図示）と、プラテンと対向配置されたサーマルヘッド６５（図３参照）と、サーマルヘッド６５の下流側に配置され、搬送方向に対し直交する方向にロール紙Ｒを切断するカッターユニット６６とを備えている。サーマルプリンターユニット６０は、プラテンを駆動してロール紙Ｒを搬送方向に搬送しつつ、サーマルヘッド６５によりロール紙Ｒに文字や画像等を印刷し、カッターユニット６６によりロール紙Ｒを切断することで、紙片を発行する。
【００２９】
図３は、複合処理装置１の機能的構成を示す図である。
複合処理装置１は、制御部１００と、記憶部１１０と、表示部１２０と、入力部１３０と、通信部１４０と、小切手印刷部１５０と、ロール紙印刷部１６０とを備える。
【００３０】
制御部１００は、ＣＰＵ等のプロセッサー（図示略）や、ＲＯＭ、ＲＡＭ、ＡＳＩＣ、信号処理回路等を備え、複合処理装置１の各部を制御する。制御部１００は、例えばＣＰＵ等のプロセッサーが、ＲＯＭに記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアの協働により処理を実行する。
【００３１】
制御部１００は、機能ブロックとして、状態検出部１０００（検出部）と、表示制御部１００１（制御部）とを備える。これらの機能ブロックは、ＣＰＵが制御プログラムに従って演算処理を実行することで実現される機能をブロックとして便宜的に示したものであり、特定のアプリケーションソフトウェアやハードウェアを示すものではない。これら機能ブロックについては、後述する。
【００３２】
記憶部１１０は、ハードディスクや、ＥＥＰＲＯＭ、ＳＳＤ（Solid State Drive）等の不揮発性メモリーを備え、各種データを書き換え可能に記憶する。
【００３３】
表示部１２０は、ディスプレー８０を備える。本実施形態のディスプレー８０は、モノクロ４階調の表示を行う表示装置であり、制御部１００の制御に従って、種々の情報を表示する。また、表示部１２０は、複数のＬＥＤを備え、制御部１００の制御に従って、ＬＥＤを所定の態様で点灯／消灯／点滅を実行する。
【００３４】
入力部１３０は、複合処理装置１に設けられた操作スイッチ１３１等の入力装置を備え、ユーザーの入力装置に対する操作を検出し、制御部１００に出力する。制御部１００は、入力部１３０からの入力に対応する処理を実行する。
【００３５】
通信部１４０は、制御部１００の制御で、所定の通信規格に従って外部装置であるホストコンピューター３と通信する。ホストコンピューター３は、複合処理装置１を制御する制御装置であり、例えば、デスクトップ型、ラップトップ型、或いはタブレット型のパーソナルコンピューターである。また、ホストコンピューター３は、複合処理装置１を制御するための専用のコンピューターでもよい。
【００３６】
小切手印刷部１５０は、小切手処理を実行する。小切手処理とは、インクジェットヘッド１０による印刷の他、ＭＩＣＲヘッド３５による読み取りや、表面ＣＩＳユニット４７及び裏面ＣＩＳユニット４８による読み取り等、小切手４の搬送に伴う処理を含む。
小切手印刷部１５０は、インクジェットヘッド１０、ホッパー駆動モーター２６、ＡＳＦモーター２７、搬送モーター４２、切替板駆動モーター５５、ＭＩＣＲヘッド３５、表面ＣＩＳユニット４７、裏面ＣＩＳユニット４８、ＡＳＦ用紙検出器３１、ホッパー位置検出器３２、用紙長検出器３８、中間検出器４６、及び排出検出器５２を備える。
【００３７】
小切手印刷部１５０は、制御部１００の制御に従って、インクジェットヘッド１０に駆動電流を供給し、小切手４への印刷を行う。
【００３８】
また、小切手印刷部１５０は、制御部１００の制御に従って、ホッパー駆動モーター２６に駆動電流や駆動パルスを出力しホッパー２５を回動させる。また、小切手印刷部１５０は、制御部１００の制御に従って、ＡＳＦモーター２７、及び搬送モーター４２に駆動電流や駆動パルスを出力してこれらモーターを動作させる。この動作に伴って、これらモーターに接続されたローラーは、駆動される。また、小切手印刷部１５０は、制御部１００の制御に従って、切替板駆動モーター５５に駆動電流や駆動パルスを出力して切替板５４を移動させ、小切手４の排出先を、メインポケット１９ａ又はサブポケット１９ｂに切り替える。
【００３９】
また、小切手印刷部１５０は、制御部１００の制御に従って、ＭＩＣＲヘッド３５、表面ＣＩＳユニット４７、及び、裏面ＣＩＳユニット４８のそれぞれに対応する情報を読み取らせる。小切手印刷部１５０は、ＭＩＣＲヘッド３５、表面ＣＩＳユニット４７、及び、裏面ＣＩＳユニット４８のそれぞれが出力する読取信号を制御部１００に出力する。
【００４０】
また、小切手印刷部１５０は、制御部１００の制御に従って、ＡＳＦ用紙検出器３１、ホッパー位置検出器３２、用紙長検出器３８、中間検出器４６、及び、排出検出器５２のそれぞれに電流を供給して、所定周期で出力値を取得する。小切手印刷部１５０は、取得した出力値を制御部１００に出力する。
【００４１】
ロール紙印刷部１６０は、上述したサーマルプリンターユニット６０を備え、制御部１００の制御に従って、紙片を発行する。
【００４２】
以下の説明では、小切手印刷部１５０とロール紙印刷部１６０とを区別することなく総称する場合、印刷部と表現する。
【００４３】
次に、制御部１００の機能ブロックについて説明する。制御部１００は、機能ブロックとして、状態検出部１０００と、表示制御部１００１とを備える。
【００４４】
状態検出部１０００は、小切手印刷部１５０の状態、及び、ロール紙印刷部１６０の状態について、印刷可能状態であるか印刷不可能状態であるかを検出する。
小切手印刷部１５０の状態が印刷可能状態であるとは、インクジェットヘッド１０による印刷が可能な状態を示し、小切手印刷部１５０の状態が印刷不可能状態であるとは、インクジェットヘッド１０による印刷が不可能な状態を示す。例えば、インクカートリッジ４５のインク残量が所定値以下となるインク切れとなった場合、小切手印刷部１５０の状態は、印刷不可能状態である。また、何かしらの要因でＭＩＣＲヘッド３５が読取不可能な状態である場合、小切手印刷部１５０は、小切手処理を実行できず、インクジェットヘッド１０による印刷を行えない。したがって、小切手印刷部１５０の状態が印刷不可能状態であるとは、小切手処理が実行できないことに起因した、インクジェットヘッド１０による印刷が不可能な状態を含んでもよい。
ロール紙印刷部１６０の状態が印刷可能状態であるとは、サーマルヘッド６５による印刷が可能な状態を示し、ロール紙印刷部１６０の状態が印刷不可能状態であるとは、サーマルヘッド６５による印刷が不可能な状態を示す。例えば、ロール紙Ｒの残量が所定値以下となるロール紙切れが発生した場合、ロール紙印刷部１６０の状態は印刷不可能状態である。
【００４５】
状態検出部１０００は、インク残量や、各ヘッドの状態、各モーターの状態、及び各検出器の状態を所定の方法により取得し、取得結果に基づいて小切手印刷部１５０の状態が印刷可能状態であるか印刷不可能状態であるかを検出する。また、状態検出部１０００は、ロール紙Ｒの残量や、サーマルヘッド６５の状態、カッターユニット６６の状態等を所定の方法により取得し、取得結果に基づいてロール紙印刷部１６０の状態が印刷可能状態であるか印刷不可能状態であるかを検出する。
【００４６】
状態検出部１０００が検出する印刷不可能状態には、復帰可能状態と復帰不可能状態が含まれる。復帰可能状態とは、ユーザーの作業により容易に解消可能な印刷不可能状態であり、例えば、インク切れやロール紙切れ等の状態である。復帰不可能状態とは、ユーザーの作業では容易に解消できず、複合処理装置１の専門家の作業が必要となる蓋然性の高い印刷不可能状態である。例えば、復帰不可能状態としては、各ヘッドの動作エラーや、各モーターの動作エラー、各検出器の動作エラー等が挙げられる。
【００４７】
表示制御部１００１は、ディスプレー８０に、複合処理装置１の状態等の各種情報を表示させる。以下、表示制御部１００１による表示制御を主に、複合処理装置１の動作を説明する。
【００４８】
図４は、複合処理装置１の動作を示すフローチャートである。
【００４９】
図４に示すフローチャートの開始時点では、複合処理装置１の状態が、小切手処理部１５０、又はロール紙印刷部１６０による印刷実行を待機している待機状態であるものとする。
【００５０】
状態検出部１０００は、小切手印刷部１５０、及び、ロール紙印刷部１６０の状態が印刷可能状態であるか印刷不可能状態であるかを検出する（ステップＳ１）。
【００５１】
小切手印刷部１５０またはロール紙印刷部１６０が印刷不可能状態にある場合、状態検出部１０００は、さらに、小切手印刷部１５０またはロール紙印刷部１６０の状態が復帰不可能状態であるか否かを判別する（ステップＳ２）。
【００５２】
小切手印刷部１５０またはロール紙印刷部１６０の状態が復帰不可能状態である場合（ステップＳ２：ＹＥＳ）、表示制御部１００１はステップＳ３の処理を実行する。ステップＳ３の処理については、後述する。
【００５３】
また、小切手印刷部１５０及びロール紙印刷部１６０の状態が復帰不可能状態でない場合（ステップＳ２：ＮＯ）、すなわち、小切手印刷部１５０及びロール紙印刷部１６０の状態が、印刷可能状態、或いは復帰可能状態である場合、制御部１００はステップＳ４の処理を実行する。
【００５４】
制御部１００は、ステップＳ４において、小切手印刷部１５０とロール紙印刷部１６０のいずれが選択されているかを判別する（ステップＳ４）。
【００５５】
印刷部の選択は、例えばホストコンピューター３から送信されるコマンドにより、所定のタイミングで行われる。例えば、ホストコンピューター３は、実行する処理に応じて、印刷部を決定し、印刷部の選択を指示するコマンドを複合処理装置１に送信する。複合処理装置１の制御部１００は、受信したコマンドに応じて、複数ある印刷部から印刷を実行する１の印刷部を選択する。なお、印刷部の選択を指示するコマンドは、小切手印刷部１５０またはロール紙印刷部１６０のいずれかを指定する形態であってもよいし、印刷媒体として小切手またはロール紙を指定する形態であってもよい。例えば、コマンドにより印刷媒体として小切手が指定された場合、制御部１００は小切手印刷部１５０を選択し、コマンドにより印刷媒体としてロール紙が指定された場合、制御部１００はロール紙印刷部１６０を選択する。
【００５６】
小切手印刷部１５０及びロール紙印刷部１６０が、印刷を実行する印刷部として選択されていない場合（ステップＳ４：ＮＯ）、表示制御部１００１は、ステップＳ１での状態検出部１０００による検出結果に基づいて、複合処理装置１の状態情報をディスプレー８０に表示させる。
【００５７】
小切手印刷部１５０及びロール紙印刷部１６０の状態が印刷可能状態である場合（ステップＳ５：ＮＯ）、表示制御部１００１は、印刷可能状態であることを示す小切手印刷部状態情報ＫＪＪ、及び印刷可能状態であることを示すロール紙印刷部状態情報ＲＪＪをディスプレー８０に表示させる（ステップＳ６）。
【００５８】
図５は、小切手印刷部状態情報ＫＪＪ、及びロール紙印刷部状態情報ＲＪＪの一例を示す図である。
【００５９】
小切手印刷部状態情報ＫＪＪは、例えば、小切手印刷部１５０による印刷において消耗するインクの状態を示すインク状態情報ＩＪＪである。インク状態情報ＩＪＪは、インクを図案化した画像情報ＧＪ１と、小切手印刷部１５０の状態を明示する明示情報ＭＪ１とを含む。
また、ロール紙印刷部状態情報ＲＪＪは、例えば、ロール紙印刷部１６０による印刷において消耗するロール紙Ｒの状態を示すロール紙状態情報ＰＪＪである。ロール紙状態情報ＰＪＪは、ロール紙Ｒを図案化した画像情報ＧＪ２と、ロール紙印刷部１６０の状態を明示する明示情報ＭＪ２とを含む。
図５に示す明示情報ＭＪ１、ＭＪ２は、チェックマークで示された情報であり、小切手印刷部１５０、及びロール紙印刷部１６０の状態が印刷可能状態であることを示している。
【００６０】
このように、小切手印刷部状態情報ＫＪＪとロール紙印刷部状態情報ＲＪＪとを同時に表示させることで、どの印刷部がどのような状態であるかをユーザーに認識させることができる。
【００６１】
図５に示すように、表示制御部１００１は、小切手印刷部状態情報ＫＪＪ（インク状態情報ＩＪＪ）とロール紙印刷部状態情報ＲＪＪ（ロール紙状態情報ＰＪＪ）との他に、ディスプレー８０の下方に近接して配置された操作スイッチ１３１によって選択可能に構成されたボタンを示すボタン情報ＢＪ１、ＢＪ２をディスプレー８０に表示させる。ボタン情報ＢＪ１は、インクジェットヘッド１０のクリーニングの実行を指示する情報であり、ディスプレー８０の表示領域において、インク状態情報ＩＪＪと対応する位置に表示される。また、ボタン情報ＢＪ２は、ロール紙Ｒの紙送りを指示する情報であり、ディスプレー８０の表示領域において、ロール紙状態情報ＰＪＪと対応する位置に表示される。このように、ボタン情報ＢＪ１，ＢＪ２は、操作スイッチ１３１の機能を表している。
【００６２】
表示制御部１００１は、印刷を実行する印刷部として小切手印刷部１５０が選択されている場合、ボタン情報ＢＪ１のみディスプレー８０に表示させ、ロール紙印刷部１６０が選択されている場合、ボタン情報ＢＪ２のみディスプレー８０に表示させ、いずれの印刷部も選択されていない場合、ボタン情報ＢＪ１、ＢＪ２のそれぞれをディスプレー８０に表示させてもよい。この場合、ユーザーは、複合処理装置１の状態について、どの印刷部が選択されているのか、或いはいずれの印刷部も選択されていないのかを容易に認識できる。
また、ボタン情報ＢＪ１，ＢＪ２の表示の有無は、対応する消耗品の状態に応じて選択してもよい。例えば、ボタン情報ＢＪ１は、インク残量が所定値以下の場合には非表示またはグレーアウト表示にしてもよい。また、ボタン情報ＢＪ２は、ロール紙の残量が所定置以下の場合には非表示またはグレーアウト表示にしてもよい。インクの残量が少ない場合にはインクジェットヘッド１０のクリーニングを実行できない場合があり、ロール紙Ｒの残量が少ない場合にはロール紙の紙送りを実行できない場合があるため、ボタン情報ＢＪ１、ＢＪ２を非表示またはグレーアウト表示にすることが好ましい。
【００６３】
図４に示すフローチャートの説明に戻り、小切手印刷部１５０またはロール紙印刷部１６０の状態が印刷不可能状態である場合（ステップＳ５：ＹＥＳ）、表示制御部１００１は、小切手印刷部状態情報ＫＪＪ、及びロール紙印刷部状態情報ＲＪＪをディスプレー８０に表示させる（ステップＳ７）。
【００６４】
図６は、小切手印刷部状態情報ＫＪＪ、及びロール紙印刷部状態情報ＲＪＪの一例を示す図である。
図６では、ロール紙印刷部１６０の状態が印刷不可能状態である場合を例示する。
【００６５】
図６と図５とを比較して明らかな通り、図６に示すロール紙印刷部状態情報ＲＪＪ）は、記号「×」を示す明示情報ＭＪ２を含む。「×」を示す明示情報ＭＪ２は、ロール紙印刷部１６０の状態が印刷不可能状態であることを示している。
同様に、小切手印刷部１５０の状態が印刷不可能状態である場合には、小切手印刷部状態情報ＫＪＪの明示情報ＭＪ１は、記号「×」となる。また、小切手印刷部１５０とロール紙印刷部１６０とが印刷不可能状態である場合には、小切手印刷部状態情報ＫＪＪの明示情報ＭＪ１とロール紙印刷部状態情報ＲＪＪの明示情報ＭＪ２とが、記号「×」となる。
【００６６】
このように、表示制御部１００１は、印刷不可能状態の印刷部について、印刷部の状態が印刷不可能状態であること示す情報を、他の印刷部の状態情報と同時にディスプレー８０に表示させる。これにより、ユーザーは、どの印刷部が印刷不可能状態であるかを認識できる。
【００６７】
図４に示すフローチャートの説明に戻り、ステップＳ１での状態検出部１０００による印刷部の状態検出結果、及び、ステップＳ４での制御部１００による印刷部の選択判別結果に基づいて、表示制御部１００１は、以下のとおり、ディスプレー８０に表示させる情報を変更する。
【００６８】
小切手印刷部１５０が選択されており（ステップＳ８：「小切手印刷部」）、各印刷部の状態が印刷可能状態である場合（ステップＳ９：「印刷可能状態」）、表示制御部１００１は、印刷可能状態であることを示す小切手印刷部状態情報ＫＪＪ、及び印刷可能状態であることを示すロール紙印刷部状態情報ＲＪＪをディスプレー８０に表示させる（ステップＳ１０）。また、表示制御部１００１は、ボタン情報ＢＪ１、ＢＪ２のうち、ボタン情報ＢＪ１のみディスプレー８０に表示させる。これにより、ユーザーは、各印刷部の状態が印刷可能状態であり、選択されている印刷部が小切手印刷部１５０であると認識できる。
【００６９】
次いで、制御部１００は、小切手処理を開始するか否かを判別する（ステップＳ１４）。例えば、制御部１００は、ホストコンピューター３から小切手処理の実行を指示する制御コマンドを受信し、ストッカー１５に小切手４が収容されておりＡＳＦ用紙検出器３１が小切手４を検出している場合、小切手処理を開始すると判別する。制御部１００は、小切手処理を開始すると判別すると（ステップＳ１４：ＹＥＳ）、小切手印刷部１５０を制御して小切手処理を実行する（ステップＳ１５）。小切手処理を実行しない場合には（ステップＳ１４：ＮＯ）、処理をステップ１に移行させる。
【００７０】
ステップＳ９の説明に戻り、小切手印刷部１５０が選択されており（ステップＳ８：「小切手印刷部」）、ロール紙印刷部１６０の状態が印刷不可能状態である場合（ステップＳ９：「ロール紙印刷部が印刷不可能状態」）、表示制御部１００１は、印刷可能状態であることを示す小切手印刷部状態情報ＫＪＪ、及び、印刷不可能状態であることを示すロール紙印刷部状態情報ＲＪＪをディスプレー８０に表示させる（ステップＳ１１）。例えば、表示制御部１００１は、チェックマークを示す明示情報ＭＪ１を含む小切手印刷部状態情報ＫＪＪ、及び、記号「×」を示す明示情報ＭＪ２を含むロール紙印刷部状態情報ＲＪＪをディスプレー８０に表示させる。また、表示制御部１００１は、ボタン情報ＢＪ１をディスプレー８０に表示させる。すなわち、表示制御部１００１は、図６に示す各情報のうち、ボタン情報ＢＪ２以外の情報をディスプレー８０に表示させる。
これにより、ユーザーは、ロール紙印刷部１６０が印刷不可能状態であり、選択されている印刷部が小切手印刷部１５０であることを認識できる。
【００７１】
また、小切手印刷部１５０が選択されており（ステップＳ８：「小切手印刷部」）、小切手印刷部１５０の状態が印刷不可能状態である場合（ステップＳ９：「小切手印刷部が印刷不可能状態」）、表示制御部１００１は、小切手印刷部１５０の印刷不可能状態に関する情報をディスプレー８０に表示させる（ステップＳ１２）。印刷不可能状態に関する情報とは、例えば解消情報ＫＳＪである。
【００７２】
図７Ａ、図７Ｂ、図７Ｃ、及び図７Ｄは、印刷不可能状態に関する情報としての解消情報ＫＳＪの一例を示す図である。インク切れが原因で小切手印刷部１５０が印刷不可能状態となった場合の、インク切れの状態を解消する操作手順を、図７Ａ〜図７Ｄの順に示している。すなわち、新しいインクカートリッジ４５を準備し（図７Ａ）、複合処理装置１の本体１３のインクカートリッジ収容部のカバーを開けてインクカートリッジ４５を挿入し（図７Ｂ）、インクカートリッジ４５の上面中央部分を押して所定位置に装填し（図７Ｃ）、インクカートリッジ収容部のカバーを閉じる（図７Ｄ）、というインクカートリッジ４５を装填（又は交換）する一連の操作を、ディスプレー８０に表示させる。
【００７３】
このように、図７Ａ〜図７Ｄのそれぞれが示す解消情報ＫＳＪは、インク切れの状態を解消する操作を図案化した画像情報である。印刷不可能状態を解消する操作を図案化した画像情報を解消情報ＫＳＪとしてディスプレー８０に表示させることで、ユーザーは、印刷不可能状態を解消する操作を認識できる。
【００７４】
なお、表示制御部１００１は、ステップＳ１２において、図７Ａ〜図７Ｄに示すように印刷不可能状態を解消するために表示すべき解消情報ＫＳＪが複数ある場合、所定期間経過する度に、操作手順に従って表示を切り替えてもよい。この場合に、図７Ｄの表示の後、再び図７Ａから表示を行うことで、図７Ａ〜図７Ｄの一連の表示を繰り返し行っても良い。また、表示制御部１００１は、ディスプレー８０に表示している解消情報ＫＳＪの操作が行われたことを検出した場合に、次に行うべき操作を示す解消情報ＫＳＪの表示に切り替えてもよい。例えば、図７Ｂに示す操作が行われた場合に、次に要求される操作である図７Ｃに示す解消情報ＫＳＪを表示するようにしてもよい。
【００７５】
このように、表示制御部１００１は、選択されている小切手印刷部１５０の状態が印刷不可能状態である場合、小切手印刷部１５０の印刷不可能状態に関する情報をディスプレー８０に表示させる。本実施形態の場合、印刷不可能状態に関する情報は、印刷不可能状態を解消するための操作手順を示す解消情報ＫＳＪである。これにより、複合処理装置１は、小切手印刷部１５０の印刷不可能状態を速やかに解消できるようにユーザーを支援できる。
【００７６】
以上のように、表示制御部１００１は、小切手印刷部１５０が選択されており、小切手印刷部１５０の状態が印刷可能状態である場合、小切手印刷部状態情報ＫＪＪ、及びロール紙印刷部状態情報ＲＪＪをディスプレー８０に表示させる。また、表示制御部１００１は、小切手印刷部１５０が選択されており、小切手印刷部１５０の状態が印刷不可能状態である場合、小切手印刷部１５０の印刷不可能状態に関する情報（解消情報ＫＳＪ）をディスプレー８０に表示させる。
これにより、表示制御部１００１は、選択されている小切手印刷部１５０の状態に応じて、ディスプレー８０に表示する印刷部に関する情報（小切手印刷部状態情報ＫＪＪや、ロール紙印刷部状態情報ＲＪＪ、解消情報ＫＳＪ等を含む）を異ならせるため、小切手印刷部１５０及びロール紙印刷部１６０を有する複合処理装置１において、小切手印刷部１５０及びロール紙印刷部１６０に関する情報を適切に表示できる。
なお、ここでは、小切手印刷部１５０は第１印刷部に相当し、ロール紙印刷部１６０は第２印刷部に相当し、小切手印刷部状態情報ＫＪＪは第１印刷部状態情報に相当し、ロール紙印刷部状態情報ＲＪＪは第２印刷部状態情報に相当する。また、インクは第１消耗品に相当し、インク状態情報ＩＪＪは第１消耗品状態情報に相当し、ロール紙は第２消耗品に相当し、ロール紙状態情報ＰＪＪは第２消耗品状態情報に相当する。
【００７７】
図４に示すフローチャートの説明に戻り、制御部１００は、状態検出部１０００の検出結果に基づいて、小切手印刷部１５０の印刷不可能状態が解消されたか否かを判別する（ステップＳ１３）。制御部１００は、小切手印刷部１５０の印刷不可能状態が解消されていないと判別した場合（ステップＳ１３：ＮＯ）、処理をステップＳ１２に戻す。
一方で、制御部１００は、小切手印刷部１５０の印刷不可能状態が解消されたと判別した場合（ステップＳ１３：ＹＥＳ）、処理をステップＳ１４に移行させる。また、表示制御部１００１は、小切手印刷部状態情報ＫＪＪを印刷不可能状態を示す情報から印刷可能状態を示す情報に切り替えてディスプレー８０に表示する。
【００７８】
ステップＳ８の説明に戻り、ロール紙印刷部１６０が選択されており（ステップＳ８：「ロール紙印刷部」）、各印刷部が印刷可能状態である場合（ステップＳ１６：「印刷可能状態」）、表示制御部１００１は、印刷可能状態であることを示す小切手印刷部状態情報ＫＪＪ、及び印刷可能状態であることを示すロール紙印刷部状態情報ＲＪＪをディスプレー８０に表示させる（ステップＳ１７）。また、表示制御部１００１は、ボタン情報ＢＪ１、ＢＪ２のうち、ボタン情報ＢＪ２のみディスプレー８０に表示させる。これにより、ユーザーは、各印刷部が印刷可能状態であり、選択されている印刷部がロール紙印刷部１６０であると認識できる。
【００７９】
次いで、制御部１００は、文字や画像等が印刷された紙片の発行を開始するか否かを判別する（ステップＳ２１）。例えば、制御部１００は、ホストコンピューター３から紙片の発行を指示する制御コマンドまたはロール紙Ｒに印刷する印刷データを受信した場合、紙片の発行を開始すると判別する。制御部１００は、紙片の発行を開始すると判別すると（ステップＳ２１：ＹＥＳ）、ロール紙Ｒに文字や画像等を印刷し、ロール紙Ｒの印刷された部分をカットして紙片を発行する（ステップＳ２２）。紙片の発行を実行しない場合には（ステップＳ２１：ＮＯ）、処理をステップ１に移行させる。
【００８０】
ステップＳ１６の説明に戻り、ロール紙印刷部１６０が選択されており（ステップＳ８：「ロール紙印刷部」）、小切手印刷部１５０の状態が印刷不可能状態である場合（ステップＳ１６：「小切手印刷部が印刷不可能状態」）、表示制御部１００１は、印刷不可能状態であることを示す小切手印刷部状態情報ＫＪＪ、及び、印刷可能状態であることを示すロール紙印刷部状態情報ＲＪＪをディスプレー８０に表示させる（ステップＳ１８）。例えば、表示制御部１００１は、記号「×」を示す明示情報ＭＪ１を含む小切手印刷部状態情報ＫＪＪ、及び、チェックマークを示す明示情報ＭＪ２を含むロール紙印刷部状態情報ＲＪＪをディスプレー８０に表示させる。また、表示制御部１００１は、ボタン情報ＢＪ２をディスプレー８０に表示させる。
これにより、ユーザーは、小切手印刷部１５０が印刷不可能状態であり、選択されている印刷部がロール紙印刷部１６０であることを認識できる。
【００８１】
ステップＳ１６の説明に戻り、ロール紙印刷部１６０が選択されており（ステップＳ８：「ロール紙印刷部」）、ロール紙印刷部１６０の状態が印刷不可能状態である場合（ステップＳ１６：「ロール紙印刷部が印刷不可能状態」）、表示制御部１００１は、ロール紙印刷部１６０の印刷不可能状態に関する情報をディスプレー８０に表示させる（ステップＳ１９）。前述した通り本実施形態の場合、印刷不可能状態に関する情報は、印刷不可能状態を解消するための操作手順を示す解消情報ＫＳＪである。
【００８２】
図８は、印刷不可能状態に関する情報としての解消情報ＫＳＪの一例を示す図である。
【００８３】
ロール紙切れが原因でロール紙印刷部１６０が印刷不可能状態となった場合の、ロール紙切れの状態を解消する操作手順の一部を図８に示している。図８は、ロール紙切れを解消する３つの操作、すなわち、プリンターカバー６１を開け（操作手順１）、ロール紙Ｒの先端部分をロール部分から引き出した状態でロール紙Ｒをロール紙収容部６２に装填し（操作手順２）、プリンターカバー６１を閉じる（操作手順３）、という一連の操作のうち、２つめの操作であるロール紙Ｒの装填に係る表示を示している。
【００８４】
このように、図８が示す解消情報ＫＳＪは、ロール紙切れを解消する操作を図案化した画像情報である。これにより、ユーザーは印刷不可能状態を解消する操作を認識できる。また、複合処理装置１は、ロール紙印刷部１６０の印刷不可能状態を速やかに解消できるようにユーザーを支援できる。
【００８５】
表示制御部１００１は、ステップＳ１９において、ステップＳ１２と同様に、ディスプレー８０に表示する解消情報ＫＳＪが複数ある場合、所定期間経過する度に、表示を切り替えてもよい。また、表示制御部１００１は、ディスプレー８０に表示している解消情報ＫＳＪの操作が行われたことを検出した場合に、次に行うべき操作を示す解消情報ＫＳＪの表示に切り替えてもよい。
【００８６】
図４に示すフローチャートの説明に戻り、制御部１００は、ロール紙印刷部１６０の印刷不可能状態が解消されたか否かを判別する（ステップＳ２０）。制御部１００は、ロール紙印刷部１６０の印刷不可能状態が解消されていないと判別した場合（ステップＳ２０：ＮＯ）、処理をステップＳ１９に戻す。
一方で、制御部１００は、ロール紙印刷部１６０の印刷不可能状態が解消されたと判別した場合（ステップＳ２０：ＹＥＳ）、処理をステップＳ２１に移行させる。また、表示制御部１００１は、ロール紙印刷部状態情報ＲＪＪを印刷不可能状態から印刷可能状態に切り替えてディスプレー８０に表示する。
【００８７】
以上のように、表示制御部１００１は、ロール紙印刷部１６０が選択されており、ロール紙印刷部１６０の状態が印刷可能状態である場合、小切手印刷部状態情報ＫＪＪ、及びロール紙印刷部状態情報ＲＪＪをディスプレー８０に表示させる。また、表示制御部１００１は、ロール紙印刷部１６０が選択されており、ロール紙印刷部１６０の状態が印刷不可能状態である場合、ロール紙印刷部１６０の印刷不可能状態に関する情報（解消情報ＫＳＪ）をディスプレー８０に表示させる。
これにより、表示制御部１００１は、選択されているロール紙印刷部１６０の状態に応じて、ディスプレー８０が表示する印刷部に関する情報（小切手印刷部状態情報ＫＪＪや、ロール紙印刷部状態情報ＲＪＪ、解消情報ＫＳＪ等を含む）を異ならせるため、小切手印刷部１５０及びロール紙印刷部１６０に関する情報を適切に表示できる。
なお、ここでは、ロール紙印刷部１６０は第１印刷部に相当し、小切手印刷部１５０は第２印刷部に相当し、ロール紙印刷部状態情報ＲＪＪは第１印刷部状態情報に相当し、小切手印刷部状態情報ＫＪＪは第２印刷部状態情報に相当する。また、ロール紙Ｒは第１消耗品に相当し、ロール紙状態情報ＰＪＪは第１消耗品状態情報に相当し、インクは第２消耗品に相当し、インク状態情報ＩＪＪは第２消耗品状態情報に相当する。
【００８８】
図４に示すフローチャートのステップＳ２の説明に戻り、小切手印刷部１５０またはロール紙印刷部１６０の少なくともいずれかの状態が復帰不可能状態である場合（ステップＳ２：ＹＥＳ）、表示制御部１００１は、復帰不可能状態に関する情報をディスプレー８０に表示させる（ステップＳ３）。
【００８９】
図９は、復帰不可能状態に関する情報の一例を示す図である。
【００９０】
表示制御部１００１は、復帰不可能状態に関する情報として、復帰不可能状態の要因となったエラーを識別するエラーコードＥＣＤをディスプレー８０に表示させる。これにより、ユーザーは、ディスプレー８０に表示されたエラーコードＥＣＤに基づいて、複合処理装置１のマニュアル等を参照し、復帰不可能状態となったエラーがどのようなエラーであるかを認識できる。
【００９１】
特に、表示制御部１００１は、小切手印刷部１５０またはロール紙印刷部１６０のいずれが選択されているかに関わらず、小切手印刷部１５０またはロール紙印刷部１６０が復帰不可能状態である場合、復帰不可能状態に関する情報を表示する。すなわち、複合処理装置１は、発生したエラーの種類に応じて、印刷部の選択状態によらず、エラー情報をディスプレー８０に表示する。これにより、表示制御部１００１は、選択されていない印刷部が復帰不可能状態になった場合でも、ユーザーに復帰不可能状態に関する情報を確実に認識させることができる。
【００９２】
以上、説明したように、複合処理装置１は、小切手印刷部１５０とロール紙印刷部１６０とを有し、選択されたいずれか一方により印刷を実行する。複合処理装置１は、小切手印刷部１５０、及びロール紙印刷部１６０の状態が印刷可能状態であるか印刷不可能状態であるかを検出する状態検出部１０００と、情報を表示するディスプレー８０と、状態検出部１０００の検出結果に基づいて、小切手印刷部状態情報ＫＪＪ、及びロール紙印刷部状態情報ＲＪＪをディスプレー８０に表示させる表示制御部１００１と、を備える。
表示制御部１００１は、小切手印刷部１５０（第１印刷部）が選択されており、小切手印刷部１５０が印刷可能状態である場合、小切手印刷部状態情報ＫＪＪ（第１印刷部状態情報）、及びロール紙印刷部状態情報ＲＪＪ（第２印刷部状態情報）をディスプレー８０に表示させ、小切手印刷部１５０が選択されており、小切手印刷部１５０が印刷不可能状態である場合、小切手印刷部１５０の印刷不可能状態に関する情報をディスプレー８０に表示させる。
また、表示制御部１００１は、ロール紙印刷部１６０（第１印刷部）が選択されており、ロール紙印刷部１６０が印刷可能状態である場合、ロール紙印刷部状態情報ＲＪＪ（第１印刷部状態情報）、及び小切手印刷部状態情報ＫＪＪ（第２印刷部状態情報）をディスプレー８０に表示させ、ロール紙印刷部１６０が選択されており、ロール紙印刷部１６０が印刷不可能状態である場合、ロール紙印刷部１６０の印刷不可能状態に関する情報をディスプレー８０に表示させる。
【００９３】
この構成によれば、選択されている印刷部の状態に応じて、ディスプレー８０が表示する印刷部に関する情報を異ならせることができ、小切手印刷部１５０、及びロール紙印刷部１６０を有する複合処理装置１において、印刷部に関する情報を適切に表示できる。
【００９４】
また、印刷不可能状態は、復帰可能状態と復帰不可能状態とを含む。表示制御部１００１は、小切手印刷部１５０またはロール紙印刷部１６０の状態が復帰不可能状態である場合、小切手印刷部１５０、及びロール紙印刷部１６０のいずれが選択されているかに関わらず、小切手印刷部１５０またはロール紙印刷部１６０の復帰不可能状態に関する情報を前記ディスプレー８０に表示させる。
【００９５】
この構成によれば、小切手印刷部１５０、及びロール紙印刷部１６０のいずれが選択されているかに関わらず、復帰不可能状態に関する情報をディスプレー８０に表示するため、表示制御部１００１は、ユーザーに復帰不可能状態に関する情報を確実に認識させることができる。
【００９６】
また、印刷不可能状態に関する情報は、印刷不可能状態の解消に関する情報である。
【００９７】
この構成によれば、表示制御部１００１は、小切手印刷部１５０の状態が印刷不可能状態である場合、小切手印刷部１５０の印刷不可能状態の解消に関する情報（図７Ａ〜図７Ｄの解消情報ＫＳＪ）を表示し、ロール紙印刷部１６０の状態が印刷不可能状態である場合、ロール紙印刷部１６０の印刷不可能状態の解消に関する情報（図８の解消情報ＫＳＪ）を表示する。そのため、複合処理装置１は、速やかに印刷部の印刷不可能状態を解消できるようにユーザーを支援できる。
【００９８】
また、小切手印刷部状態情報ＫＪＪは、小切手印刷部１５０による印刷において消耗するインクの状態を示すインク状態情報ＩＪＪである。小切手印刷部１５０が第１印刷部に相当する場合、インクは第１消耗品に相当し、インク状態情報ＩＪＪは第１消耗品状態情報に相当する。また、小切手印刷部１５０が第２印刷部に相当する場合、インクは第２消耗品に相当し、インク状態情報ＩＪＪは第２消耗品状態情報に相当する。
また、ロール紙印刷部状態情報ＲＪＪは、ロール紙印刷部１６０による印刷において消耗するロール紙Ｒの状態を示すロール紙状態情報ＰＪＪである。ロール紙印刷部１６０が第１印刷部に相当する場合、ロール紙Ｒは第１消耗品に相当し、ロール紙状態情報ＰＪＪは第１消耗品状態情報に相当する。また、ロール紙印刷部１６０が第２印刷部に相当する場合、ロール紙Ｒは第２消耗品に相当し、ロール紙状態情報ＰＪＪは第２消耗品状態情報に相当する。
この構成によれば、ユーザーは消耗品の状態を認識できる。
【００９９】
このように、複合処理装置１は、選択された印刷部が印刷可能状態であるとき、他の印刷部が第２のエラー状態、例えば復帰不可能な印刷不可能状態にある場合を除いて、各印刷部の状態をディスプレー８０に同時に表示する。
また、複合処理装置１は、選択された印刷部が第１のエラー状態、例えば復帰可能な印刷不可能状態にあるとき、第１のエラー状態の解消に関する情報をディスプレー８０に表示する。なお、非選択の印刷部が第１のエラー状態にあっても、第１のエラー状態の解消に関する情報をディスプレー８０に表示することはない。選択された印刷部は、非選択の印刷部の第１のエラー状態が解消されたか否かに因らず、動作可能であるため、複合処理装置１は、非選択の印刷部の第１のエラー状態の解消に関する情報はディスプレー８０に表示しない。第１のエラー状態にある印刷部が選択されたときに、第１のエラー状態の解消に関する情報をディスプレー８０に表示させればよい。
また、複合処理装置１は、印刷部が第２のエラー状態にあるとき、印刷部の選択状態に因らず、第２のエラー状態にあることを示すエラー情報をディスプレー８０に表示する。
【０１００】
上述した実施形態は、あくまでも本発明の一態様を示すものであり、本発明の範囲内で任意に変形および応用が可能である。
【０１０１】
例えば、上述した実施形態では、複合処理装置１が有する印刷部として小切手印刷部１５０及びロール紙印刷部１６０を例示した。しかしながら、複合処理装置は、複数の印刷部を有すればよく、印刷部の個数や印刷形式、印刷媒体の種類等は限定されない。
【０１０２】
また、上述した実施形態では、小切手印刷部１５０とロール紙印刷部１６０のいずれも選択されていない場合（ステップＳ４：ＮＯ）を想定したが、ホストコンピューター３から印刷部の選択を指示するコマンドを受信していない場合には、予め定められたいずれかの印刷部が選択されていることとしてもよい。例えば、小切手印刷部１５０が選択された状態を初期値としてもよい。この場合には、上述したステップＳ５〜Ｓ７の処理は不要となる。
【０１０３】
また、例えば、上述した複合処理装置１の制御方法（プリンターの制御方法）が、複合処理装置１が備えるコンピューター、又は、複合処理装置１に接続される外部装置を用いて実現される場合、本発明を、当該方法を実現するためにコンピューターが実行するプログラム、このプログラムをコンピューターで読み取り可能に記録した記録媒体、或いは、このプログラムを伝送する伝送媒体の態様で構成することも可能である。
【０１０４】
また、制御部１００の機能は、複数のプロセッサー、又は、半導体チップにより実現してもよい。例えば、制御部１００が、ＳｏＣ（System-on-a-Chip）やＭＣＵ（Micro Control Unit）、ＦＰＧＡ（Field-Programmable Gate Array）等の副処理装置（co-processor）をさらに備える構成であってもよい。また、制御部１００は、ＣＰＵ及び副処理装置の双方を協働させるか、あるいは双方のうちの一方を選択的に用いて各種の制御を行ってもよい。
【０１０５】
また、例えば、図４の処理単位は、複合処理装置１の処理を理解容易にするために、主な処理内容に応じて分割したものであり、処理単位の分割の仕方や名称によって、本発明が限定されることはない。処理内容に応じて、さらに多くの処理単位に分割してもよい。また、１つの処理単位がさらに多くの処理を含むように分割してもよい。また、その処理の順番は、本発明の趣旨に支障のない範囲で適宜に入れ替えてもよい。
【０１０６】
また、図３に示した各機能部は機能的構成を示すものであって、具体的な実装形態は特に限定されない。つまり、必ずしも各機能部に個別に対応するハードウェアが実装される必要はなく、一つのプロセッサーがプログラムを実行することで複数の機能部の機能を実現する構成とすることも勿論可能である。また、上述した実施形態においてソフトウェアで実現される機能の一部をハードウェアとしてもよく、或いは、ハードウェアで実現される機能の一部をソフトウェアで実現してもよい。その他、複合処理装置１の他の各部の具体的な細部構成についても、本発明の趣旨を逸脱しない範囲で任意に変更可能である。
【符号の説明】
【０１０７】
１…複合処理装置（プリンター）、３…ホストコンピューター、１０…インクジェットヘッド、２２…ＭＣＲヘッド、２６…ホッパー駆動モーター、２７…ＡＳＦモーター、３１…ＡＳＦ用紙検出器、３２…ホッパー位置検出器、３５…ＭＩＣＲヘッド、３６…ＭＩＣＲローラー、３８…用紙長検出器、４２…搬送モーター、４６…中間検出器、４７…表面ＣＩＳユニット、４８…裏面ＣＩＳユニット、５２…排出検出器、５５…切替板駆動モーター、６０…サーマルプリンターユニット、６５…サーマルヘッド、６６…カッターユニット、８０…ディスプレー、１００…制御部、１１０…記憶部、１３０…入力部、１４０…通信部、１５０…小切手印刷部（第１印刷部、第２印刷部）、１６０…ロール紙印刷部（第１印刷部、第２印刷部）、１０００…状態検出部（検出部）、ＩＪＪ…インク状態情報（第１消耗品状態情報、第２消耗品状態情報）、ＫＪＪ…小切手印刷部状態情報（第１印刷部状態情報、第２印刷部状態情報）、ＫＳＪ…解消情報（解消に関する情報）、ＰＪＪ…ロール紙状態情報（第１消耗品状態情報、第２消耗品状態情報）、Ｒ…ロール紙（第１消耗品、第２消耗品）、ＲＪＪ…ロール紙印刷部状態情報（第１印刷部状態情報、第２印刷部状態情報）。
【図１】
2019127000.tif 000003
【図２】
2019127000.tif 000004
【図３】
2019127000.tif 000005
【図４】
2019127000.tif 000006
【図５】
2019127000.tif 000007
【図６】
2019127000.tif 000008
【図７Ａ】
2019127000.tif 000009
【図７Ｂ】
2019127000.tif 000010
【図７Ｃ】
2019127000.tif 000011
【図７Ｄ】
2019127000.tif 000012
【図８】
2019127000.tif 000013
【図９】
2019127000.tif 000014